(57)【要約】【課題】情報記録再生装置に装填される多種多様の光ディスクを高精度に判別することができる光ディスク判別方法及び装置を提供する。【解決手段】ＣＤ用のＬＤ１０１からのレーザを光ディスクに照射し、光ディスクから得られる光をＣＤ用のＰＤ１０４と、ＤＶＤ（登録商標）用のＰＤ１０５又はＨＤ−ＤＶＤ用のＰＤ１０６とで検出する。これらの検出結果に基づいて、装着された光ディスクの種類を判別する。【選択図】  図３
2004152452.tif 000002
【特許請求の範囲】
【請求項１】
複数の異なる波長を用いて情報の再生又は記録を行う情報再生記録装置に装填された複数の異なるトラックピッチ及び／又は異なる反射率及び／又は異なるカバー層の厚さを有する光ディスクの種類を判別する光ディスク判別方法であって、
前記光ディスクに対して特定波長のレーザ光を照射する照射工程と、
前記レーザ光を前記光ディスクに照射して得られる光を前記特定波長の光及び／又はトラックピッチに適した第１検出素子により検出する第１検出工程と、
前記レーザ光を前記光ディスクに照射して得られる光を、前記特定波長とは異なる波長の光及び／又はトラックピッチに適した第２検出素子により検出する第２検出工程と、
前記第１検出工程及び前記第２検出工程の検出結果に基づいて前記光ディスクの種類を判別する判別工程と
を含むことを特徴とする光ディスク判別方法。
【請求項２】
レンズ駆動系による対物レンズの移動中に生成されるフォーカスエラー信号が示す所定のＳ字波形により、情報記録再生装置に装填される光ディスクの種類を判別する光ディスク判別方法であって、
一方の光ディスク用に設けられた光源による他方の光ディスク用に設けられた受光素子への戻り光によって生成されるＳ字波形の信号レベルを保持し、前記光ディスクの種類の判別に反映させることを特徴とする光ディスク判別方法。
【請求項３】
複数の異なる波長を用いて情報の再生又は記録を行う情報再生記録装置に装填された光ディスクの種類を判別する光ディスク判別装置であって、
検出感度及び／又はトラックピッチが異なる少なくとも２つの検出素子と、
前記光ディスクからの光を前記検出素子各々で検出して得られる検出結果に基づいて、前記光ディスクの種類を判別する判別部と
を備えることを特徴とする光ディスク判別装置。
【請求項４】
レンズ駆動系による対物レンズの移動中に生成されるフォーカスエラー信号が示す所定のＳ字波形により、情報記録再生装置に装填される光ディスクの種類を判別する光ディスク判別装置であって、
一方の光ディスク用に設けられた光源による他方の光ディスク用に設けられた受光素子への戻り光によって生成されるＳ字波形の信号レベルを保持し、前記光ディスクの種類の判別に反映させる光ディスク判別手段を備えることを特徴とする光ディスク判別装置。
【請求項５】
前記光ディスク判別手段は、前記フォーカスエラー信号の所定のＳ字波形が示す電圧レベルと、前記戻り光によって生成される電圧レベルのそれぞれを比較演算し、及び／又は適正な光ディスクが装填されたときの基準値のそれぞれとを比較演算して前記装填された光ディスクを判別する比較演算回路を備えることを特徴とする請求項４記載の光ディスク判別装置。
【発明の詳細な説明】
【０００１】
【発明の属する技術分野】
本発明は、光ディスク判別方法及び装置に係り、特に情報記録媒体としての光ディスクを複数種類取り扱うことができる情報記録再生装置で用いられる光ディスク判別方法及び装置に関する。
【０００２】
【従来の技術】
現在、情報を高密度記録することが可能な大容量の情報記録媒体として、相変化記録媒体及び光磁気記録媒体が実用化されている。相変化記録媒体としては、例えば再生専用光ディスク、情報の追記録が可能な追記型光ディスク、情報の消去と再記録とが可能な書換え型光ディスクがある。また、光磁気記録媒体は、基本的に情報の消去と再記録とを可能としている。
【０００３】
また、近年においては、外形形状は同一であるが、記録容量が異なる光ディスクが複数開発されている。上述した記録形式の異なる複数の光ディスク及び容量の異なる複数の光ディスクを扱うことのできる情報記録再生装置（コンボドライブ）においては、コンボドライブに装填された光ディスクの種類の判別を行う必要がある。従来は、以下のようにコンボドライブに装填された光ディスクの判別を行っていた。
【０００４】
例えば、レーザ光源から射出されたレーザ光を集束させながら光ディスクへ導く対物レンズを光軸方向に移動させ、対物レンズの光軸方向の移動中において光ディスクによって反射されたレーザ光によって生成されるＦＥ（フォーカスエラー）信号が示す所定のＳ字波形の発生タイミングとＦＥ信号の振幅等により判別していた。この判別方法は、例えば以下の特許文献１を参照されたい。
【０００５】
【特許文献１】
特開平９−３２０１７９号公報
【０００６】
【発明が解決しようとする課題】
ところで、上記したように従来のコンボドライブにおける光ディスクの判別は、Ｓ字波形の信号発生タイミングとＦＥ信号の振幅等に依存していたため、光ディスクの膜厚の違いや製造誤差により生じる光ディスクの反射率又はＦＥ信号発生のばらつき等により正確に判別できないことがある。また、光ディスクの大容量化に伴って、装填可能な光ディスクの種類が増加したため、その判断の基準となる境界が狭まりつつあり、従来の方法をそのまま踏襲したのでは判別精度の低下を招く虞がある。
【０００７】
本発明は上記事情に鑑みてなされたものであり、情報記録再生装置に装填される多種多様の光ディスクを高精度に判別することができる光ディスク判別方法及び装置を提供することを目的とする。
【０００８】
【課題を解決するための手段】
上記課題を解決するために、本発明の第１の観点による光ディスク判別方法は、複数の異なる波長を用いて情報の再生又は記録を行う情報再生記録装置に装填された複数の異なるトラックピッチ及び／又は異なる反射率及び／又は異なるカバー層の厚さを有する光ディスクの種類を判別する光ディスク判別方法であって、前記光ディスクに対して特定波長のレーザ光を照射する照射工程と、前記レーザ光を前記光ディスクに照射して得られる光を前記特定波長の光及び／又はトラックピッチに適した第１検出素子により検出する第１検出工程と、前記レーザ光を前記光ディスクに照射して得られる光を、前記特定波長とは異なる波長の光及び／又はトラックピッチに適した第２検出素子により検出する第２検出工程と、前記第１検出工程及び前記第２検出工程の検出結果に基づいて前記光ディスクの種類を判別する判別工程とを含むことを特徴としている。
この発明によれば、特性の異なる第１検出素子及び第２検出素子の検出結果を用いて、光ディスクから得られる光に含まれるより多くの情報に基づいて光ディスクの種類を判別しているため、情報記録再生装置に装填される多種多様の光ディスクを高精度に判別することができる。
上記課題を解決するために、本発明の第２の観点による光ディスク判別方法は、レンズ駆動系による対物レンズの移動中に生成されるフォーカスエラー信号が示す所定のＳ字波形により、情報記録再生装置に装填される光ディスクの種類を判別する光ディスク判別方法であって、一方の光ディスク用に設けられた光源による他方の光ディスク用に設けられた受光素子への戻り光によって生成されるＳ字波形の信号レベルを保持し、前記光ディスクの種類の判別に反映させることを特徴としている。
この発明によれば、一方の光ディスクのために用意された光源による他方の光ディスク用に用意された受光素子への戻り光によって生成されるＳ字波形の信号レベルを用いることにより、従来のＳ字波形発生タイミングと合わせて総合的に判断できるため、装填された光ディスクの判別精度向上を図ることができる。
上記課題を解決するために、本発明の第１の観点による光ディスク判別装置は、複数の異なる波長を用いて情報の再生又は記録を行う情報再生記録装置に装填された光ディスクの種類を判別する光ディスク判別装置であって、検出感度及び／又はトラックピッチが異なる少なくとも２つの検出素子（１０４〜１０６）と、前記光ディスクからの光を前記検出素子各々で検出して得られる検出結果に基づいて、前記光ディスクの種類を判別する判別部（７０）とを備えることを特徴としている。
この発明によれば、検出感度及び／又はトラックピッチの異なる複数の検出結果を用いて、光ディスクから得られる光に含まれるより多くの情報に基づいて光ディスクの種類を判別しているため、情報記録再生装置に装填される多種多様の光ディスクを高精度に判別することができる。
上記課題を解決するために、本発明の第２の観点による光ディスク判別装置は、レンズ駆動系による対物レンズ（１２２）の移動中に生成されるフォーカスエラー信号が示す所定のＳ字波形により、情報記録再生装置に装填される光ディスクの種類を判別する光ディスク判別装置であって、一方の光ディスク用に設けられた光源による他方の光ディスク用に設けられた受光素子への戻り光によって生成されるＳ字波形の信号レベルを保持し、前記光ディスクの種類の判別に反映させる光ディスク判別手段（７０）を備えることを特徴としている。
この発明によれば、光ディスク判別手段が、一方の光ディスクのために用意された光源による他方の光ディスク用に用意された受光素子への戻り光によって生成されるＳ字波形の信号レベルを用いて装填された光ディスクを判別することにより、従来のＳ字波形発生タイミングと合わせて総合的に判断することで、光ディスクの判別精度向上をはかった光ディスク判別装置を提供することができる。ここで、前記光ディスク判別手段は、前記フォーカスエラー信号の所定のＳ字波形が示す電圧レベルと、前記戻り光によって生成される電圧レベルのそれぞれを比較演算し、及び／又は適正な光ディスクが装填されたときの基準値のそれぞれとを比較演算して前記装填された光ディスクを判別する比較演算回路を備えることを特徴としている。
この発明によれば、比較演算回路が、２つの異なる受光素子への戻り光を比較し、及び／又は予め用意された基準値とそれぞれ比較することによって従来のＳ字波形発生タイミングと合わせて総合的に判断することで光ディスクの判別精度の向上をはかった光ディスク判別装置を提供することができる。
【０００９】
【発明の実施の形態】
以下、図面を参照して本発明の実施形態による光ディスク判別方法及び装置について詳細に説明する。尚、本明細書にいう情報記録再生装置とは、情報記録媒体としての光ディスクに記録された情報の再生機能及び光ディスクに対する情報の記録機能を共に有するもののみならず、何れか一方の機能のみを有するものをも含んでいる。また、以下に説明する実施形態においては、光ディスクとして、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ（登録商標））、及びＨＤ−ＤＶＤ（Ｈｉｇｈ  Ｄｅｆｉｎｉｔｉｏｎ  ＤＶＤ（登録商標））の３種類の光ディスクを取り扱う場合を例に挙げて説明する。
【００１０】
図１は、本発明の一実施形態による光ディスク判別装置を示すブロック図である。図１において、Ｔｒａｃｋは光ディスクに形成されたトラックの一部を示しており、図示のように光ピックアップ装置（以下、ＰＵという）１０から射出されるレーザ光により異なる３点にスポットが形成される。これらのスポットは３ビーム方式によるトラッキング制御のために用いられるものである。
【００１１】
ＰＵ１０は、ＣＤ用のフォトディテクタ（以下、ＰＤという）１１、ＤＶＤ用のＰＤ１２、ＨＤ−ＤＶＤ用のＰＤ１３を備えている。尚、図１においては、図示を簡略化しているが、ＰＤ１１〜１３に対応してＣＤ用の光源（波長：７８０ｎｍ）、ＤＶＤ用の光源（波長：６５０ｎｍ）、ＨＤ−ＤＶＤ用の光源（波長：４０５ｎｍ）が設けられている。
【００１２】
まず、ＰＵ１０に内蔵された受光素子を介して、その差分（ＴＥ：トラッキングエラー信号）が求められる。この差分は、演算器１４，１５，１６を介してＶＣＡ（Ｖｏｌｔａｇｅ  Ｃｏｎｔｒｏｌ  Ａｍｐｌｉｆｉｅｒ）２８において所定の増幅率で増幅され、図示せぬＡ／Ｄ変換器でディジタル信号に変換されて、ディジタルイコライザ（以下、単にＥＱという）３３を介してＰＷＭ（Ｐｕｌｓｅ  Ｗｉｄｔｈ  Ｍｏｄｕｌａｔｉｏｎ）信号生成回路２０へ出力されるとともにサーボコントローラ３０へ出力される。また、演算器１４の出力は、ローパスフィルタ（ＬＰＦ）２４でフィルタリングされた後、ＶＣＡ２９において所定の増幅率で増幅された後、図示せぬＡ／Ｄ変換器でディジタル信号に変換されて、ＥＱ３３を介してＰＷＭ信号生成回路２０に出力されるとともに、サーボコントローラ３０へ出力される。
【００１３】
また、ＰＵ１０に内蔵されたＰＤ１１〜１３に設けられる４分割ＰＤの各信号からその差分（フォーカスエラー信号）が求められる。この差分は、ＶＣＡ２７において所定の増幅率で増幅され、図示せぬＡ／Ｄ変換器でディジタル信号に変換された後、ＥＱ３２を介してＰＷＭ信号生成回路２０へ出力されるとともに、サーボコントローラ３０へ出力される。
【００１４】
更に、４分割ＰＤの各信号は演算器２１，２２，２３において加算された後、ＥＦＭ（Ｅｉｇｈｔ  ｔｏ  Ｆｏｕｒｔｅｅｎ  Ｍｏｄｕｌａｔｉｏｎ）復調回路２５及びＰＬＬ（Ｐｈａｓｅ  Ｌｏｃｋｅｄ  Ｌｏｏｐ）回路２６からなる回路によりＲＦ信号に変換され、図示せぬＡ／Ｄ変換器によりディジタル信号に変換された後、ＥＱ３４を介してＰＷＭ信号生成回路２０に出力されるとともに、サーボコントローラ３０へ出力される。
【００１５】
ＰＷＭ信号生成回路２０は、ＥＱ３２〜３５から出力される信号各々をＰＷＭ信号に変換する。ＰＷＭ信号に変換されたＥＱ３３の出力信号はトラッキング制御信号（ＴＲＫＧ）としてＰＵ１０出力され、ＰＷＭ信号に変換されたＥＱ３２の出力信号はフォーカス制御信号（ＦＯＣＵＳ）としてＰＵ１０へ出力される。また、ＰＷＭ信号に変換されたＥＱ３４の出力信号はＰＵ１０自体を光ディスクの直径方法に移動させる不図示の駆動装置の駆動信号（ＣＡＲＧ）として出力され、ＰＷＭ信号に変換されたＥＱ３５の出力信号は光ディスクを回転させる不図示のスピンドルモータ（ＳＰＤＬ）の駆動信号として出力される。
【００１６】
サーボコントローラ３０は、ＣＰＵ４０の制御の下で、トラッキング制御、フォーカス制御、スピンドルモータの回転制御等の制御を行う。また、ＣＰＵ４０の制御の下でＶＣＡ２７，２８，２９，３１及びＥＱ３２〜３５のゲインの調整等を行う。ＲＡＭ（Ｒａｎｄｏｍ  Ａｃｃｅｓｓ  Ｍｅｍｏｒｙ）５０は、ＶＣＡ２７，２８，２９，３１及びＥＱ３２〜３５に設定されたゲイン等の情報を一時的に記憶する。ＡＰＣ（Ａｕｔｏ  Ｐｏｗｅｒ  Ｃｏｎｔｒｏｌ）回路６０は、再生時（又は記録時）において、ＰＵ１０に内蔵されるレーザダイオード（以下、ＬＤという）から射出されるレーザ光が一定強度となるようにパワーの検出結果に応じてＬＤを駆動する回路である。
【００１７】
ディスク判別回路７０は、情報記録再生装置に装填される光ディスクの種類をＣＰＵ４０と協同して判別する回路である。このディスク判別回路７０は、ＦＥ信号の所定のＳ字波形が示す電圧レベルと、後述する戻り光によって生成される電圧レベルのそれぞれを、適正な光ディスクが装填されたときの基準値のそれぞれとを比較演算して装填された光ディスクを判別する比較演算回路を備えている。
【００１８】
また、ディスク判別回路７０には演算器１４〜２３の出力が供給されており、ディスク判別回路７０は、これらの演算器１４〜２３から出力される信号を用いて、情報記録再生装置に装填された光ディスクの種類を判別する。尚、本実施形態においては、ＣＤ用のＰＤ１１から出力される信号とＨＤ−ＤＶＤ用のＰＤ１３から出力される信号とを用いて装填された光ディスクの種類を判別する場合を例に挙げて説明する。
【００１９】
また、本実施形態では、ＣＤ用のＬＤを発光させて光ディスクの種類を判別する場合について説明するため、図１においては演算器１７の出力がＶＣＡ２７へ入力され、演算器１４の出力がＶＣＡ２８へ入力され、演算器２１の出力がＥＦＭ復調回路２５へ入力されている構成を図示している。しかしながら、例えば、ＤＶＤ用のＬＤを発光させて光ディスクの種類を判別する場合は、演算器１８の出力がＶＣＡ２７へ入力されるように図示しない切替器にて切り替わる。演算器１５及び演算器２２の出力も同様に図示しない切替器でＶＣＡ２８及びＥＦＭ復調回路２５へそれぞれ入力される。
【００２０】
図２は、本発明の他の実施形態による光ディスク判別装置を示すブロック図である。図１に示す実施形態との差異は、図１に示す実施形態ではディスク判別回路７０に対して演算器１４〜２３の出力が供給されていたが、図２に示す実施形態においては、ＰＤ１１〜１３各々から出力される信号が直接ディスク判別回路に入力されている点である。他は全て同様である。
【００２１】
図３は、本発明の実施形態で使用されるＰＵ１０の光学系の具体的な構成例を示す図である。図１，図２に示すＰＵ１０は、光源としてのＬＤ１０１〜１０３、検出器としてのＰＤ１０４，１０５，１０６、ハーフミラー１０７，１０８，１０９、全反射ミラー１１１，１１２，１１３、１１４、コリメートレンズ１１５，１１６，１１７、キューブ１１８、３波長ビームスプリッタ１１９、ＮＡ切替え素子１２１、及び対物レンズ１２２を含んで構成される。
【００２２】
ＬＤ１０１は波長７８０ｎｍのレーザ光を射出するＣＤ用の光源として用いられ、ＬＤ１０２は波長６５０ｎｍのレーザ光を射出するＤＶＤ用の光源として用いられ、ＬＤ１０３は波長４０５ｎｍのレーザ光を射出するＨＤ−ＤＶＤ用の光源として用いられる。また、ＰＤ１０４はＬＤ１０１に対応して設けられたＣＤ用のＰＤであり、ＰＤ１０５はＬＤ１０２に対応して設けられたＤＶＤ用のＰＤであり、ＰＤ１０６はＬＤ１０３に対応して設けられたＨＤ−ＤＶＤ用のＰＤである。尚、ＰＤ１０４〜１０６は、図１中のＰＤ１１〜１３にそれぞれ相当するものである。
【００２３】
ＬＤ１０１から照射されたレーザ光はＣＤ用ハーフミラー１０７を介してＣＤ用コリメートレンズ１１５、キューブ１１８、３波長ビームスプリッタ１１９、及びＮＡ切替え素子１２１を介して対物レンズ１２２に至り、対物レンズ１２２で集束される。集束されたレーザ光が図示せぬ光ディスクで反射されるとその反射光は上記と逆のルートを辿り、対物レンズ１２２を介してハーフミラー１０７で反射された後、ＣＤ用全反射ミラー１１１を介してＣＤ用ＰＤ１０４で検出される。
【００２４】
また、ＬＤ１０２から照射されたレーザ光はＤＶＤ用ハーフミラー１０８を介してＤＶＤ用コリメートレンズ１１６、キューブ１１８、３波長ビームスプリッタ１１９、ＮＡ切替え素子１２１を介して対物レンズ１２２に至り、対物レンズ１２２で集束される。集束されたレーザ光が図示せぬ光ディスクで反射されるとその反射光は上記と逆のルートを辿り、対物レンズ１２２を介してハーフミラー１０８で反射された後、ＤＶＤ用全反射ミラー１１２を介してＤＶＤ用ＰＤ１０５で検出される。
【００２５】
更に、ＬＤ１０３から照射されたレーザ光はＨＤ−ＤＶＤ用ハーフミラー１０９を介してＨＤ―ＤＶＤ用コリメートレンズ１１７、ＨＤ−ＤＶＤ用全反射ミラー１１４、３波長ビームスプリッタ１１９、ＮＡ切替え素子１２１を介して対物レンズ１２２に至り、対物レンズ１２２で集束される。集束されたレーザ光が図示せぬ光ディスクで反射されるとその反射光は上記と逆のルートを辿り、対物レンズ１２２を介してＨＤ−ＤＶＤ用ハーフミラー１０９で反射された後、ＨＤ−ＤＶＤ用全反射ミラー１１３を介してＨＤ−ＤＶＤ用ＰＤ１０６で検出される。参考のために、ＣＤ用ＰＤ１０４とＨＤ−ＤＶＤ用ＰＤ１０６との波長対感度を図６に示す。
【００２６】
ＰＵ１０に設けられた一方のアクチュエータは、フォーカシングのためにレーザ光の光軸方向（ディスクの記録面と交差する方向）に対物レンズ１２２を駆動し、他方のアクチュエータはトラッキングのためレーザ光の光軸方向と直交方向（ディスクの径方向）に対物レンズ１２２を駆動する。一方のアクチュエータによる対物レンズ１２２の駆動量は入力されるフォーカス制御信号（図１及び図２中に示すＦＯＣＳ）により制御され、また、他方のアクチュエータによる対物レンズの駆動量は入力されるトラッキング制御信号（図１及び図２中に示すＴＲＫＧ）により制御される。
【００２７】
上記したフォーカス制御信号により対物レンズ１２２をレーザ光の光軸方向に移動させると、光ディスクに対する対物レンズ１２２の合焦点のずれに応じたフォーカスエラー信号が出力され、所謂Ｓ字波形が得られる。
【００２８】
ところで、図３を用いて示したルートを辿ってＬＤ１０１〜１０３から照射されたレーザ光が光ディスクに至り、光ディスクからの反射光がＰＤ１０４〜１０６でそれぞれ検出されて装填された光ディスクに記録された情報が読み出される。しかしながら、キューブ１１８及び３波長ビームスプリッタ１１９は、波長７８０ｎｍのレーザ光、波長６５０ｎｍのレーザ光、及び波長４０５ｎｍのレーザ光を波長に応じた比率で分光するため、それぞれのレーザ光が本来受光すべきＰＤ以外に他のＰＤによっても例えば数％受光される。
【００２９】
例えば、情報記録再生装置にＣＤが装填されている場合、ＣＤ用ＰＤ１０４により検出されるＳ字波形の信号レベルが２Ｖｐ−ｐになるように設計され、一方、情報記録再生装置にＤＶＤが装填されている場合、ＤＶＤ用ＰＤ１０５により検出されるＳ字波形の信号レベルが２Ｖｐ−ｐになるように設計され、ＨＤ−ＤＶＤ用ＰＤ１０６により検出されるＳ字波形の信号レベルが２Ｖｐ−ｐに設計されていたとする。
【００３０】
このような状況の下、情報記録再生装置に光ディスクとしてＣＤが装填され、ＣＤ用ＬＤ１０１からレーザ光が射出されたとすると、３波長ビームスプリッタ１１９とキューブ１１８の光学的な特性によってＤＶＤ用ＰＤ１０５に５％程度の戻り光がある。ＨＤ−ＤＶＤ用のＰＤ１０６においても同様である。従って、この場合、２Ｖｐ−ｐｘ０．０５＝１００ｍＶｐ−ｐ程度のＳ字信号波形がＤＶＤ用ＰＤ１０５でも得られることになる。
【００３１】
そこで本発明では、ＣＤが装填されたときに、ＣＤ用以外の用途で設けられたＰＤ、即ちＤＶＤ用ＰＤ１０５により得られた信号レベルを図１及び図２に示すディスク判別回路７０で保持し、適正な光ディスク、ここではＤＶＤ及び／又はＨＤ−ＤＶＤが装填された場合の基準値及び／又はＣＤ用のＰＤ１０４で得られた信号レベル及び／又はＨＤ−ＤＶＤ用のＰＤ１０６で得られた信号レベルと比較演算することにより、装填された光ディスクの種類を判別している。
【００３２】
尚、装填された光ディスクの種類の判別はＣＰＵ４０と協同して行うこととするが、戻り光もその判別の手段として反映させる他は従来と同様である。即ち、まず、７８０ｎｍのレーザ光を照射して装填された光ディスクがＣＤであるか、ＤＶＤであるか、又はＨＤ−ＤＶＤであるかを判断する。
【００３３】
図４は、装填された光ディスクがＣＤの場合におけるＣＤ用ＰＤ１０４及びＨＤ−ＤＶＤ用ＰＤ１０５の信号波形の一例を示す図である。また、図５は、装填された光ディスクがＨＤ−ＤＶＤの場合における、ＣＤ用ＰＤ１０４及びＨＤ−ＤＶＤ用ＰＤ１０５の信号波形の一例を示す図である。尚、図４及び図５は、何れもＣＤ用のＬＤ１０１から波長７８０ｎｍのレーザ光を照射した場合に検出されたＦＥ、ＴＥ、ＲＦの各信号波形を示している。
【００３４】
図４を参照すると、ＣＤ用ＬＤ１０１からレーザ光を照射させ、対物レンズ１２２をレーザ光の光軸方向に往復移動させると、対物レンズ１２２の合焦点がＣＤの記録面上に位置するときに、ＣＤ用ＰＤ１０４からＦＥとしてＳ字信号が得られる。ここで、図示のようにＣＤ用ＰＤ１０４からＳ字信号が出力される時点において、ＨＤ−ＤＶＤ用ＰＤ１０６からもＦＥとしてＳ字信号が得られる。そこで、本実施形態においてはＣＤ用ＰＤ１０４から出力されるＳ字信号の大きさｆｅ１とＨＤ−ＤＶＤ用ＰＤ１０６から出力されるＳ字信号の大きさｆｅ２との比若しくは差及び／又はＨＤ−ＤＶＤ用ＬＤである４０５ｎｍのレーザ光を照射した場合のＨＤ−ＤＶＤ用ＰＤ１０６から出力されるＳ字信号の大きさｆｅ２（ＨＤ）＝２Ｖｐ−ｐとｆｅ２との比若しくは差に基づいて、装填された光ディスクの種類を判別している。
【００３５】
また、図５を参照すると、ＣＤ用ＬＤ１０１からレーザ光を射出させ、対物レンズ１２２をレーザ光の光軸方向に往復移動させると、対物レンズ１２２の合焦点がＨＤ−ＤＶＤの記録面上に位置するときに、ＣＤ用ＰＤ１０４及びＨＤ−ＤＶＤ用ＰＤ１０６からＦＥとしてＳ字信号が得られる。ここで、図４と図５とを比較すると、ＨＤ−ＤＶＤが装填されているときにＣＤ用ＰＤ１０４から出力されるＳ字信号の大きさｆｅ３は、ＣＤが装填されているときにＣＤ用ＰＤ１０４から出力されるＳ字信号の大きさｆｅ１よりも小さな値となる。よって、この強度の差又は比及びＣＤ用ＰＤ１０４から出力されるＳ字信号の大きさｆｅ３とＨＤ−ＤＶＤ用ＰＤ１０６から出力されるＳ字信号の大きさｆｅ４との比又は差に基づいて、装填された光ディスクの種類を判別している。
【００３６】
尚、光ディスクの判別においては、上述したＳ字信号の大きさの差又は比に加えて、Ｓ字信号のタイミングを加味して総合的に装填された光ディスクの種類を判別するようにしても良い。また、上記実施形態においては、ＣＤ用ＰＤ１０４の検出結果とＨＤ−ＤＶＤ用ＰＤ１０６の検出結果を用いて光ディスクの種類を判別する場合を例に挙げて説明したが、ＣＤ用ＰＤ１０４の検出結果とＤＶＤ用ＰＤ１０５の検出結果を用いて判別を行っても良い。更には、ＤＶＤ用ＰＤ１０５の検出結果とＨＤ−ＤＶＤ用ＰＤ１０６の検出結果を用いて光ディスクの種類を判別するようにしても良い。また更には、ＣＤ用ＰＤ１０４、ＤＶＤ用ＰＤ１０５、ＨＤ−ＤＶＤ用ＰＤ１０６の検出結果を全て用いて判別するようにしても良い。つまるところ、本発明は複数設けられたＰＤの内の少なくとも２つの検出結果を用いて光ディスクを判別する場合に適用することができる。
【００３７】
また、本実施形態ではＣＤとＨＤ−ＤＶＤとを判別する方法について説明したが、ＣＤ−Ｒ、ＣＤ−ＲＷ、ＤＶＤ−Ｒ、ＤＶＤ−ＲＷ、ＤＶＤ−ＲＡＭ、ＤＶＤ＋Ｒ、ＤＶＤ＋ＲＷ等の記録可能な光ディスクについても同様に各ＰＤの出力の比又は差を比較することで判別することができる。
【００３８】
以上説明したように本実施形態においては、複数の異なる波長及び／又はトラックピッチ用に設けられた複数のＰＤの内の少なくとも２つのＰＤの検出結果を用いて総合的に装填された光ディスクの種類を判別しているため、情報記録再生装置に装填される多種多様の光ディスクを高精度に判別することができる。尚、本発明実施形態によれば、ＬＤを、ＣＤ、ＤＶＤ、ＨＤ−ＤＶＤ用の３系統を独立して用意したが、ＣＤとＤＶＤを共用して２系統としても同様の効果が得られる。
【００３９】
【発明の効果】
以上説明したように、本発明によれば、特性の異なる第１検出素子及び第２検出素子の検出結果を用いて、光ディスクから得られる光に含まれるより多くの情報に基づいて光ディスクの種類を判別しているため、情報記録再生装置に装填される多種多様の光ディスクを高精度に判別することができるという効果がある。また、本発明によれば、装填される光ディスクの種類を判別するにあたり、異なる波長及び／又はトラックピッチ用のＰＤからの戻り光によって生成されるＳ字波形の信号レベルを反映させることなより、従来のＳ字波形発生タイミングと合わせて総合的に判断することで、判別精度が向上し、信頼性の向上をはかった情報記録再生装置を提供することができるという効果がある。
【図面の簡単な説明】
【図１】本発明の一実施形態による光ディスク判別装置を示すブロック図である。
【図２】本発明の他の実施形態による光ディスク判別装置を示すブロック図である。
【図３】本発明の実施形態で使用されるＰＵ１０の光学系の具体的な構成例を示す図である。
【図４】装填された光ディスクがＣＤの場合におけるＣＤ用ＰＤ１０４及びＨＤ−ＤＶＤ用ＰＤ１０５の信号波形の一例を示す図である。
【図５】装填された光ディスクがＨＤ−ＤＶＤの場合における、ＣＤ用ＰＤ１０４及びＨＤ−ＤＶＤ用ＰＤ１０５の信号波形の一例を示す図である。
【図６】ＣＤ用ＰＤ１０４とＨＤ−ＤＶＤ用ＰＤ１０６との波長対感度を示す図である。
【符号の説明】
１０              光ピックアップ装置
４０              ＣＰＵ
７０              ディスク判別回路（判別部、光ディスク判別手段）
１０１〜１０３    レーザダイオード
１０４〜１０６    フォトディテクタ（検出素子）
１２２            対物レンズ
【図１】
2004152452.tif 000003
【図２】
2004152452.tif 000004
【図３】
2004152452.tif 000005
【図４】
2004152452.tif 000006
【図５】
2004152452.tif 000007
【図６】
2004152452.tif 000008